(57)【要約】      （修正有）【課題】使い捨てフィルタに極力触れないで、このフィルタを、捕捉された塵とともに確実かつ容易に捨てることが可能な掃除機用集塵装置を提供する。【解決手段】集塵装置２１は、集塵容器本体２２、濾過フィルタ５１、集塵容器蓋３５、及びフィルタホルダ６１を具備する。フィルタホルダ６１はテッシュ６４が通過可能でかつこのテッシュ６４の周部を着脱可能に支持する枠６２を有する。蓋３５の開閉に連動させて集塵容器本体２２内で枠６２が枠受け部に接離する方向にフィルタホルダ６１を移動可能に設け、蓋３５が閉じた状態で枠６２が枠受け部に接する位置にフィルタホルダ６１が配置され、蓋３５が開いた状態で枠６２が枠受け部から離れた位置にフィルタホルダ６１が配置されるようにした。【選択図】図６
2012066029.tif 000002
【特許請求の範囲】
【請求項１】
吸込み開口、この吸込み開口の周りに形成された枠受け部、前記吸込み開口に対向する塵捨て開口、及びこれらとは異なる位置に形成されたフィルタ配設部を有し、塵捨て状態で前記吸込み開口の下方に前記塵捨て開口が配置される集塵容器本体と、
前記フィルタ配設部に配設された濾過フィルタと、
前記集塵容器本体に回動可能に取付けられて前記塵捨て開口を開閉する集塵容器蓋と、
使い捨てフィルタの周部を着脱可能に支持するとともにこの使い捨てフィルタが通過可能に形成された枠を有して、前記集塵容器蓋の開閉に連動して前記集塵容器本体内で前記枠が前記枠受け部に接離する方向に移動可能に設けられ、前記集塵容器蓋が閉じた状態で前記枠が前記枠受け部に接する第１位置に配置されるとともに前記集塵容器蓋が開いた状態で前記枠が前記枠受け部から離れた第２位置に配置されるフィルタホルダと、
を具備することを特徴とする掃除機用集塵装置。
【請求項２】
前記フィルタホルダが、前記枠と、この枠に連結されて前記集塵容器蓋に接離される連動部材を有していて、この連動部材が前記集塵容器本体に設けられたガイド部でガイドされていることを特徴とする請求項１に記載の掃除機用集塵装置。
【請求項３】
塵捨て状態で前記塵捨て開口が斜めになるとともに、前記フィルタホルダが前記第２位置に配置された状態で前記塵捨て状態での前記塵捨て開口の上端と下端との間の高さに前記枠の少なくとも一部が配置されるように前記塵捨て開口が形成されていることを特徴とする請求項１又は２に記載の掃除機用集塵装置。
【請求項４】
前記集塵容器本体から前記塵捨て開口側に突出されて、前記フィルタホルダが前記第１位置に配置された状態で前記枠を貫通する保形部材を備えることを特徴とする請求項１から３のうちのいずれか一項に記載の掃除機用集塵装置。
【請求項５】
前記集塵容器本体に容器ハンドルが設けられていて、このハンドルが上方を向くように前記集塵容器本体が配置された状態で、この集塵容器本体の下側から前記塵捨て開口を開閉するように前記集塵容器蓋が配設されることを特徴とする請求項１から４のうちのいずれか一項に記載の掃除機用集塵装置。
【請求項６】
前記使い捨てフィルタが、前記吸込み開口から前記濾過フィルタに向けて流れる気流の流出側面を表にして前記枠に支持されることを特徴とする請求項１から５のうちのいずれか一項に記載の掃除機用集塵装置。
【請求項７】
前記請求項１から６のうちのいずれか一項に記載の集塵装置と、
電動送風機が内蔵されているとともに、この電動送風機の上流側に前記集塵装置が着脱可能に収容される収容室、及び、この収容室に前記集塵装置が収容された状態で前記集塵装置の吸込み開口に連通される本体吸込み口を有した掃除機本体と、
を具備することを特徴とする電気掃除機。
【発明の詳細な説明】
【技術分野】
【０００１】
本発明の実施形態は、吸引された含塵気流中の空気から分離された塵を溜める集塵装置、及びこの集塵装置が掃除機本体に着脱可能に設けられた電気掃除機に関する。
【背景技術】
【０００２】
掃除機本体に着脱可能な集塵装置が有した濾過フィルタに、分離された塵が付着して汚れないようにするために、濾過フィルタの上流側面を覆ってテッシュ等の使い捨てフィルタを配置できるように構成された集塵装置が、従来技術として知られている。
【０００３】
こうした使い捨てフィルタを用いる構成で、このフィルタを通過する気流の力によって濾過フィルタに使い捨てフィルタが張り付くと、この使い捨てフィルタが濾過フィルタから剥がれ難くなり易い。そのため、使い捨てフィルタに捕捉された塵を使い捨てフィルタとともに集塵装置の外部に容易に捨てることができないことがある。その場合、使い捨てフィルタを手作業で引き出す作業が必要になることに加えて、その際に、使い捨てフィルタに付着している塵によって手が汚されることがある。
【０００４】
こうした不具合を解決して、使い捨てフィルタとともにこのフィルタに捕捉された塵を同時に捨てることができるようにする場合、使い捨てフィルタに使用者の手が極力触れないようにすることが要請されている。
【０００５】
更に、集塵装置に対する塵捨ての時期は、使用者によって様々であるから、使い捨てフィルタに溜められる限度を超えて集塵が行われることがある。この場合、使い捨てフィルタから塵が周囲にこぼれるので、こうした事態であっても、こぼれた塵を支障なく塵捨て場に捨てることができるようにすることが要請されている。
【先行技術文献】
【特許文献】
【０００６】
【特許文献１】特開２００７−２４４８４４号公報
【特許文献２】特開２００８−１９４０８５号公報
【特許文献３】特開２００８−２５９８０６号公報
【発明の概要】
【発明が解決しようとする課題】
【０００７】
実施形態は、使い捨てフィルタに極力触れないで、このフィルタを、捕捉された塵とともに確実かつ容易に捨てることが可能な掃除機用集塵装置及びこれを備えた電気掃除機を提供することにある。
【課題を解決するための手段】
【０００８】
前記課題を解決するために、実施形態の掃除機用集塵装置は、集塵容器本体、濾過フィルタ、集塵容器蓋、及びフィルタホルダを具備する。集塵容器本体は、吸込み開口、この開口の周りに形成された枠受け部、吸込み開口に対向し塵捨て状態で吸込み開口の下方に配置される塵捨て開口、及びこれらとは異なる位置に形成されて濾過フィルタが配設されるフィルタ配設部を有する。塵捨て開口を開閉する集塵容器蓋を集塵容器本体に回動可能に取付ける。フィルタホルダは使い捨てフィルタが通過可能でかつこの使い捨てフィルタの周部を着脱可能に支持する枠を有する。このフィルタホルダを、集塵容器蓋の開閉に連動させて集塵容器本体内で枠が枠受け部に接離する方向に移動可能に設けて、集塵容器蓋が閉じた状態では枠が枠受け部に接する位置にフィルタホルダが配置されるとともに、集塵容器蓋が開いた状態では枠が枠受け部から離れた位置にフィルタホルダが配置されるようにしたことを特徴としている。
【図面の簡単な説明】
【０００９】
【図１】一実施形態に係る電気掃除機を示す斜視図である。
【図２】図１の電気掃除機の掃除機本体とこれに着脱される集塵装置を、この集塵装置が掃除機本体から分離された状態で示す斜視図である。
【図３】図２の集塵装置が備える集塵容器本体とこれに着脱される濾過フィルタとを、この濾過フィルタが集塵容器本体から分離された状態で示す斜視図である。
【図４】図２の集塵装置を示す断面図である。
【図５】図２の集塵装置をその内部にテッシュが支持された状態で示す断面図である。
【図６】塵捨てをする状態で図２の集塵装置を示す断面図である。
【図７】図２の集塵装置をその濾過フィルタを外した状態で示す後面図である。
【図８】図４中Ｆ８−Ｆ８線に沿って図２の集塵装置が備えるフィルタホルダをガイドする構成を示す断面図である。
【図９】図２の集塵装置が備える集塵容器本体を示す側面図である。
【発明を実施するための形態】
【００１０】
以下、一実施形態の電気掃除機について、図１〜図９を参照して詳細に説明する。
【００１１】
図１中符号１は例えばキャニスタ型の電気掃除機を示している。この電気掃除機１が備える掃除機本体２は、その幅方向両側に夫々軸支された車輪３と、前部下面に取付けられた図示しないキャスタとを有していて、これら車輪３及びキャスタを被掃除面に接してこの被掃除面上を移動可能である。
【００１２】
図２に示すように掃除機本体２の内部は、例えば複数の孔からなる通気部を有した仕切り４で、この仕切り４より後側の機器収容室（図示しない）と前側の収容室２ａとに分けられている。機器収容室に、電動送風機（図１参照）５と、図示しないコードリール装置と、制御装置（図示しない）等が収容されている。電動送風機５はその吸気口を仕切り４に対向して配設されていて、この電動送風機５の運転に伴い生じる吸気負圧は、仕切り４の通気部を通って収容室２ａに波及される。
【００１３】
掃除機本体２は掃除機蓋体７を備えている。掃除機蓋体７は、その後部を中心に上下方向に回動可能に設けられている。この掃除機蓋体７の回動により、収容室２ａの上面開口が開閉される。掃除機蓋体７は図示しないフック及びフック開放ボタンを有している。フックは掃除機本体２が有した図示しないフック受部に上方から係脱可能であり、その係合により掃除機蓋体７の閉じ状態が保持され、又、フック開放ボタンが押されることによりフックがフック受部から外れて掃除機蓋体７を開くことが可能となっている。
【００１４】
掃除機本体２はその収容室２ａに対して上流側から連通する本体吸込み口８を有している。図１に示すように本体吸込み口８は例えば掃除機蓋体７に設けられている。この本体吸込み口８に図１に示す吸塵風路体１１が接続されている。吸塵風路体１１は、吸塵ホース１２と、この吸塵ホース１２の先端部に接続された延長管１３と、この延長管１３の先端部に接続された例えば床用の吸込み口体１４とを備えている。
【００１５】
吸塵ホース１２はその下流側端部をなす本体接続管１２ａを有していて、この本体接続管１２ａは本体吸込み口８に差込み接続されている。吸塵ホース１２の先端部をなす手元操作部１２ｂは、ハンドル部１５を有していて、このハンドル部１５に電動送風機５等に対する運転指令を与えるための複数の操作子を有した操作パネル１６が取付けられている。延長管１３は、内管１３ａと外管１３ｂとを組み合わせた二本継の構成であり、内管１３ａは外管１３ｂの内側に挿入可能であり、その挿入深さの調節により延長管１３の長さが調節されるように構成されている。吸込み口体１４は、その下面に開口する塵吸込み口（図示しない）を有した吸込みヘッド１４ａと、この後側に突出された接続管１４ｂを有している。接続管１４ｂは延長管１３の先端部をなす内管１３ａの先端部に挿脱可能に接続されている。したがって、電動送風機５が運転されると、吸気負圧によって含塵空気が吸塵風路体１１を通って本体吸込み口８に吸い込まれる。
【００１６】
掃除機本体２の収容室２ａに、掃除機蓋体７が開放された状態で上方から出し入れされる集塵装置２１が収容されている。集塵装置２１は、ユニット化されていて、図３〜図６に示すよう集塵容器本体２２と、集塵容器蓋３５と、濾過フィルタ５１と、フィルタホルダ６１と、保形部材７１等を具備している。集塵容器本体２２及びこれに連結された集塵容器蓋３５によって集塵容器（集塵ケース）が形成されている。
【００１７】
合成樹脂製の集塵容器本体２２は、吸込み開口２３、枠受け部２５、塵捨て開口２７、及びフィルタ配設部２９を有している。
【００１８】
吸込み開口２３は塵捨て状態で集塵容器本体２２の例えば天井壁となる壁部２２ａに開口して形成されている。壁部２２ａは前下がりに傾斜しており、そのため、吸込み開口２３は斜めに設けられている。なお、吸込み開口２３は、壁部２２ａにねじ止めされた部材によって設けられているが、壁部２２ａに一体に形成することもできる。
【００１９】
図４〜図６に示すように枠受け部２５は壁部２２ａの一部で形成されている。この枠受け部２５は吸込み開口２３を囲んでその周りに設けられている。そのため、枠受け部２５は吸込み開口２３の開口径より大きな環状の部位によって形成されている。この枠受け部２５の集塵容器本体２２の内部に臨んだ面（図４では下面）は、吸込み開口２３の集塵容器本体２２の内部に臨んだ環状端面（図４では下端面）に接する仮想上の平面に略接するような高さに位置されている。前記臨んだ面は、前記仮想上の平面より図４において上側又は下側に位置されていてもよい。
【００２０】
塵捨て開口２７は集塵容器本体２２の例えば下部を開口して形成されている。塵捨て開口２７は吸込み開口２３に対向している。この塵捨て開口２７は、例えば集塵容器本体２２の後端から前端に向かうに従い次第に高くなるように斜めに設けられている。そのため、集塵容器本体２２は、その内部空間が集塵容器本体２２の前端から後端に向かうに従い次第に広がるように形成されている。
【００２１】
フィルタ配設部２９は、吸込み開口２３及び塵捨て開口２７とは異なる位置、例えば図４において集塵容器本体２２の後端部に設けられている。このフィルタ配設部２９は、上下左右に連続した略四角環形の壁部で形成されていて、その内側空間は集塵容器本体２２の後面に開口されている。
【００２２】
集塵容器本体２２に容器ハンドル３１が設けられている。容器ハンドル３１は例えば壁部２２ａの後部上面から上向きに一体に突設されている。この容器ハンドル３１は、塵捨て作業をする上で、集塵装置２１を収容室２ａに着脱する際及び運搬する際等に使用者の手で握られる。こうして容器ハンドル３１を握って塵捨てをする状態で、集塵容器本体２２は、その吸込み開口２３を上側に配するとともに、この吸込み開口２３の下方に塵捨て開口２７を配した状態で取扱われるようになっている。
【００２３】
合成樹脂製の集塵容器蓋３５は、前記塵捨て状態で集塵容器本体２２の下側から塵捨て開口２７を開閉するものであり、図７に示した枢支手段３７により集塵容器本体２２に回動可能に取付けられている。
【００２４】
枢支手段３７は、例えば集塵容器蓋３５に設けられた軸受部３７ａと、集塵容器本体２２に設けられた軸受部３７ｂと、これら軸受部３７ａ，３７ｂにわたって設けられた図示しない枢軸とを有して形成されている。この枢支手段３７は塵捨て開口２７の周部例えば後側に設けられている。したがって、集塵容器蓋３５はその後端部を支持した枢支手段３７を支点に上下方向に回動可能である。塵捨てをする状態において、集塵容器蓋３５は、その自由端部（先端部）が略真下を向くように全開されるようになっている（図６参照）。
【００２５】
図９に示すように集塵容器本体２２の側壁２２ｂの一方に、集塵容器蓋３５を閉じ状態に保持するクランプ機構４１が設けられている。このクランプ機構４１は、クランプレバー４２と、ばね４３と、操作レバー４４と、クランプカバー４５等を備えている。
【００２６】
クランプカバー４５は前記一方の側壁２２ｂの外面にねじ止めされ、このクランプカバー４５にはその下端に開放する逃げ溝４５ａが形成されている。クランプカバー４５の下部と前記一方の側壁２２ｂとの間に第１のレバー枢軸４６が設けられていて、この第１のレバー枢軸４６にクランプレバー４２が回動可能に支持されている。クランプレバー４２の下端部はフック部４２ａをなしている。このフック部４２ａが逃げ溝４５ａに位置されるようにクランプレバー４２はばね４３で付勢されている。
【００２７】
クランプカバー４５の上部と前記一方の側壁２２ｂとの間に第２のレバー枢軸４７が設けられていて、この第２のレバー枢軸４７に操作レバー４４が回動可能に支持されている。操作レバー４４の上端部は、クランプカバー４５の上方へ突出されていて、人為的に操作可能である。操作レバー４４の下端部はクランプレバー４２の上端部に形成された略Ｖ字形状の溝に係合されている。それにより、操作レバー４４の操作を介してフック部４２ａが逃げ溝４５ａから外れるようにクランプレバー４２をばね４３に抗して回動させることが可能である。
【００２８】
このクランプ機構４１に対応して集塵容器蓋３５に係止爪部３６（図９参照）が一体に突設されている。この係止爪部３６は集塵容器蓋３５の開閉に伴い逃げ溝４５ａに挿脱可能である。
【００２９】
そのため、集塵容器蓋３５が閉じ方向に回動されて係止爪部３６が逃げ溝４５ａに挿入されることにより、この係止爪部３６がクランプレバー４２のフック部４２ａに引掛けられて、集塵容器蓋３５が閉じ状態に保持される。又、集塵容器蓋３５の閉じ状態で、操作レバー４４が図９中矢印方向に操作されることにより、クランプレバー４２がばね４３に抗して回動され、そのフック部４２ａが係止爪部３６から外される。したがって、集塵容器蓋３５をその自重で下方へ開かせることができる。
【００３０】
濾過フィルタ５１は、例えば第１のフィルタ５２と第２のフィルタ５３を有していて、フィルタ配設部２９に配設されている。この濾過フィルタ５１は、塵捨てをする状態において、図６に示すように略真っ直ぐ上下方向に沿って配設されるように設けられている。
【００３１】
第１のフィルタ５２は、格子状に成形された樹脂部材５２ａに、格子の目を塞ぐように多孔板を装着して形成されている。多孔板は、金属薄板例えばステンレスの薄板に多数の孔を設けてなるものであって、樹脂部材５２ａにインサート成形によって一体的に装着されている。
【００３２】
第１のフィルタ５２は、フィルタ配設部２９の前端部に内面に接着により固定されていて、このフィルタ配設部２９の内部とこれより前側の集塵容器本体２２の内部空間とを仕切っている。なお、この第１のフィルタ５２の樹脂部材５２ａは集塵容器本体２２と一体に成形することも可能であり、又、第１のフィルタ５２はフィルタ配設部２９に着脱できるように設けることも可能であり、更に、第１のフィルタ５２は省略することも可能である。
【００３３】
第２のフィルタ５３は、フィルタ配設部２９にその内側空間を閉じるように装着されていて、例えば集塵容器本体２２の後側から着脱可能である。第２のフィルタ５３は、前記吸込み開口２３から電動送風機５に吸い込まれる気流を基準として第１のフィルタ５２の下流側に配設されている。そのため、第１のフィルタ５２を上流フィルタと称することができるとともに第２のフィルタ５３を下流フィルタと称することができる。
【００３４】
この第２のフィルタ５３は、第１のフィルタ５２で捕捉し切れなかった細塵を捕捉するものであり、例えばプリーツフィルタによって形成されている。なお、図２〜図６中符号５３ａは、第２のフィルタ５３の枠部から突設された摘み部を示しており、この摘み部５３ａを掴んで第２のフィルタ５３がフィルタ配設部２９から取外せるようになっている。
【００３５】
フィルタホルダ６１は、集塵容器本体２２内に枠受け部２５に接離する方向、つまり、塵捨て状態では上下方向に移動可能に設けられている。このフィルタホルダ６１は、金属又は合成樹脂製であり、図７等に示すように枠６２と、この枠６２に一端が連結された連動部材６３を有している。
【００３６】
枠６２は、円環形でかつ吸込み開口２３より大径であり、フィルタホルダ６１の移動に伴って枠受け部２５に接離可能である。枠６２は、これより大きい使い捨てフィルタ例えばテッシュ６４の周部を着脱可能に支持できるとともに、支持された状態のテッシュ６４が枠６２で囲まれた開口を貫通可能に形成されている。使い捨てのテッシュ６４は、濾過フィルタ５１に対するプレフィルタとして使用される。
【００３７】
図７に示すように連動部材６３は一対設けられている。これら連動部材６３は、例えば棒状であって、それが延びる方向の中間部に折れ曲がり部６３ａを有していて、一端（上端）が枠６２に接続されている。この連動部材６３は、枠６２が枠受け部２５に接した状態で、閉じた状態にある集塵容器蓋３５の周部内面に連動部材６３の他端（下端）が接する長さを有していて、この下端に集塵容器蓋３５が接離されるようになっている。
【００３８】
連動部材６３は、集塵容器本体２２に設けられたガイド部６６（図４〜図６及び図８参照）にガイドされている。即ち、ガイド部６６は、例えば集塵容器本体２２の相対向した側壁２２ｂの内面に夫々固定されていて、この側壁２２ｂの内面との間に上下方向（図４及び図７参照）フィルタホルダ６１の移動方向）に延びるとともに両端が夫々開放されたガイド通路６７を形成している。このガイド通路６７に連動部材６３を移動可能に貫通させて、塵捨て状態で上下方向に延びるように配設されるように、フィルタホルダ６１が集塵容器本体に支持されている。
【００３９】
これとともに、ガイド部６６はフィルタホルダ６１の下降動作を制限するストッパを兼ねている。つまり、塵捨て状態で、連動部材６３の上下方向に真っ直ぐな下部と、これに対して斜め上側に連続した上部との境界をなした折れ曲がり部６３ａが、ガイド部６６の上端に引っ掛かることにより、それ以上のフィルタホルダ６１の下降が妨げられるようになっている。
【００４０】
このようにフィルタホルダ６１が連動部材６３を有した構成により、集塵容器蓋３５の開閉にフィルタホルダ６１の移動を連動させることができる。したがって、フィルタホルダ６１を集塵容器蓋３５の開閉に連動させるために、複数の可動部品を組み合わせて構成される連動機構を要することがない。
【００４１】
こうした連動によって、集塵容器蓋３５が閉じた状態では、図４に示すように枠６２が枠受け部２５に接する第１位置にフィルタホルダ６１が配置される。又、集塵容器蓋３５が開かれた状態では、図６に示すように枠６２が枠受け部２５から離れた第２位置にフィルタホルダ６１が配置される。更に、フィルタホルダ６１が第２位置に移動された場合、ガイド部６６の上端に連動部材６３の折れ曲がり部６３ａが当たって、第２位置から更に下方へフィルタホルダ６１が移動して脱落しないように規制されている。
【００４２】
しかも、この規制によって、枠６２の上方空間に使用者の指を入れることができるように塵捨て状態での塵捨て開口２７の上端Ｈ（図６参照）と下端Ｌ（図６参照）との間に、枠６２の少なくとも一部が配置される。それにより、フィルタホルダ６１が第２位置に保持された状態では、枠６２の前部が斜めの塵捨て開口２７の上端Ｈの下方に位置されて、集塵装置２１を前方から見た場合、枠６２の前部が視認されるようになっている。
【００４３】
保形部材７１は、集塵容器本体２２内に、その吸込み開口２３と枠受け部２５との間の部位、例えば図４において吸込み開口２３の前寄りの縁部から塵捨て開口２７に向けて突設されている。保形部材７１は吸込み開口２３の中心軸線と略平行に設けられていて、図４に示すようにフィルタホルダ６１が第１位置に配置された状態で枠６２を貫通している。
【００４４】
保形部材７１は板状であって、それを前側又後側から見た形状は、フィルタホルダ６１に支持されたテッシュ６４を袋状に膨らませた状態にする際に、テッシュ６４が破損されることがないようにするために、略Ｖ字形状又は略Ｕ字形状である（図７参照）。同方向から見た保形部材７１の形状は、略Ｌ字形状或いは略Ｊ字形状でも差し支えないが、テッシュ６４が袋状に膨んだ形状を保持する上では、略Ｖ字形状又は略Ｕ字形状であることが望ましい。
【００４５】
前記構成の集塵装置２１が収容室２ａに収容保持されて掃除機蓋体７が閉じられた状態では、濾過フィルタ５１の後面（気流排出面）が掃除機本体２の仕切り４の前面（上流側面）に気密に接しているとともに、吸込み開口２３が本体吸込み口８にその下流側から気密に接している。そのため、電動送風機５の運転に伴い本体吸込み口８から吸い込まれて電動送風機５の吸気口に至る気流は、集塵装置２１の内部を流通する。
【００４６】
集塵装置２１は、テッシュ６４を用いないで使用することも可能であるが、以下、テッシュ６４を用いた集塵とその後の塵捨てについて説明する。
【００４７】
まず、容器ハンドル３１を掴んで掃除機本体２外に取出された集塵装置２１にテッシュ６４を支持する手順を説明する。
【００４８】
テッシュ６４は集塵容器蓋３５が開放された状態でフィルタホルダ６１の枠６２に支持される。この場合、フィルタホルダ６１はその自重で下降されて、図６に示す第２位置に配置されているので、フィルタホルダ６１の枠６２は、集塵容器本体２２の壁部２２ａ側の奥まった位置ではなく、枠受け部２５の下方に離れて塵捨て開口２７側に近づけられた状態にある。それにより、塵捨て開口２７を通してテッシュ６４をフィルタホルダ６１の枠６２に容易に支持させることができる。
【００４９】
この場合、テッシュ６４の周部６４ａ（図５及び図６参照）を、枠６２の下方から、この枠６２の内側に通した上で、この周部６４ａを枠６２から上側から被せて枠６２の裏側に巻き込むように配設して、テッシュ６４の周部６４ａを枠６２に支持できる。しかも、その際、必要に応じて、使用者の指を塵捨て開口２７の上端Ｈと枠６２の前端との間の隙間を通して枠６２の上方に差し入れて、テッシュ６４の周部６４ａを枠６２に支持させることができるので、この作業を容易に行うことができる。
【００５０】
次に、集塵容器蓋３５を上向きに回動させて、集塵容器本体２２の塵捨て開口２７を閉じた状態に保持する。集塵容器蓋３５が開かれた状態では、フィルタホルダ６１の連動部材６３が塵捨て開口２７を通って下方に突出されている。そのため、集塵容器蓋３５が閉じられるに伴って、閉じ方向に回動される集塵容器蓋３５の周部が連動部材６３の下端に下側から当たり、それにより、フィルタホルダ６１が押上げられて第１位置に配置される。第１位置に配置されたフィルタホルダ６１の連動部材６３の折れ曲がり部６３ａは、ガイド部６６の上端より上方に離れており、この折れ曲がり部６３ａより下側の真っ直ぐな下部がガイド通路６７に挿入されている。
【００５１】
そのため、フィルタホルダ６１の枠６２が枠受け部２５にその下方から押し当たるように配置されて、これら枠６２と枠受け部２５が、枠６２に支持されているテッシュ６４の周部６４ａを挟持する。それにより、テッシュ６４はその周部６４ａ側の部位を除いて吸込み開口２３に下方から対向した状態に保持される。
【００５２】
これとともに、既述のように閉じられる集塵容器蓋３５によってフィルタホルダ６１が第２位置に移動されるに伴って、保形部材７１が枠６２に入り込むように枠６２が上昇するに伴い、テッシュ６４と保形部材７１の相対位置が変わり、その結果として保形部材７１がテッシュ６４を下方に押すようになるので、テッシュ６４が袋状になる。
【００５３】
以上のようにテッシュ６４が集塵装置２１内にセットされた状態を図５に示す。この状態では、袋状に形成されたテッシュ６４は、濾過フィルタ５１の上流側面をなす第１のフィルタ５２から前方に離れている。更に、袋状に形成されたテッシュ６４内に上方から挿入された保形部材７１は、図５において濾過フィルタ５１から前方に大きく離れてテッシュ６４の前部内面に接近して配置されている。
【００５４】
図５の状態のまま集塵装置２１は掃除機本体２の収容室２ａに収容されるので、電動送風機５が運転されると、電動送風機５の吸気口に吸い込まれる気流中に含まれる塵は、初めにテッシュ６４により濾過され、テッシュ６４で濾過仕切れなかった塵は、次に、濾過フィルタ５１が有した第１のフィルタ５２で濾過され、更に、この第１のフィルタ５２で濾過仕切れなかった細塵は、この後、濾過フィルタ５１が有した第２のフィルタ５３で濾過される。
【００５５】
そのため、第１のフィルタ５２に塵が多量に付着して汚れることを抑制できる。しかも、プレフィルタとしてのテッシュ６４は、袋状となってフィルタホルダ６１に支持されているので、濾過フィルタ５１の前面にこの面全体を覆って張り付くことがない。それにより、濾過された塵を溜めるテッシュ６４を原因として第１のフィルタ５２の濾過性能が低下することがないので、吸塵性能の低下が抑制される。
【００５６】
この場合、既述のように袋状のテッシュ６４に挿入された保形部材７１が、濾過フィルタ５１に向けてテッシュ６４がある程度以上移動することを防止するストッパとして機能するので、前記張り付きを一層確実に防止できる。したがって、電動送風機５の吸気負圧をテッシュ６４に対し確実に波及させることが可能である。
【００５７】
又、掃除後に、掃除機本体２から取出された集塵装置２１内の塵を、この集塵装置２１の搬送先において塵捨て容器（図示しない）の真上で捨てるには、この集塵装置２１の容器ハンドル３１を握ったままの状態で、クランプ機構４１による集塵容器蓋３５のクランプを解除して、集塵容器蓋３５を開放すればよいので、塵捨て操作が簡単である。
【００５８】
即ち、前記クランプ解除により、集塵容器蓋３５がその自重により下方に回動して垂れ下がるとともに塵捨て開口２７が全開され、それに伴い、集塵容器蓋３５がフィルタホルダ６１の連動部材６３から離れる。そのため、フィルタホルダ６１の自重、及びこれに袋状の形態で支持されていて濾過フィルタ５１に張り付いていないテッシュ６４内に集塵された塵の重さによって、テッシュ６４ごとフィルタホルダ６１が下降し、フィルタホルダ６１はガイド部６６の上端に引っ掛かって図６に示す第２位置に配置される。このことは、容器ハンドル３１を握って集塵装置２１を持った状態で、吸込み開口２３の下方に塵捨て開口２７が対向していることにより可能である。これとともに、こうした吸込み開口２３と塵捨て開口２７と容器ハンドル３１の位置関係により、塵捨ての際の取扱いが容易である。
【００５９】
こうした第２位置へのフィルタホルダ６１の移動に伴い、その枠６２が集塵容器本体２２の枠受け部２５の下方に離れる。これにより、テッシュ６４がその内部に集塵された塵の重さによって枠６２の内部を下方へ通過するとともに、塵捨て開口２７を通って下方の塵捨て容器内に排出される。したがって、テッシュ６４に触れないようにして塵を捨てることが可能である。この場合、テッシュ６４は略袋状のまま塵捨て容器に落とされるので、この容器内での塵の舞い上がりが抑制され易い。
【００６０】
以上の塵捨てにおいて、フィルタホルダ６１の下降が適正になされないことや、枠６２からテッシュ６４が適正に外れないことが考えられる。この場合は、塵捨て開口２７から手指を差し入れてテッシュ６４などを引下げれば良い。塵捨て開口２７が水平ではなく斜めに設けられていることに伴い、連動部材６３及びテッシュ６４の下部が塵捨て開口２７を通っている蓋然性が高いので、これらに触って前記引下げ操作を容易に行うことが可能である。
【００６１】
しかも、テッシュ６４は、吸込み開口２３から濾過フィルタ５１に向けて流れる風路の途中に配設されていて、この気流の流出側面、言い換えれば、テッシュ６４に捕捉された塵の臨まない面を、表にして枠６２に支持されている。これにより、塵捨ての際、テッシュ６４を触る必要がある場合、前記流出側面が触られる。そのため、テッシュ６４に捕捉された塵で使用者の手が汚されることを抑制しつつ塵捨てができる。
【００６２】
又、テッシュ６４の集塵能力を超えて吸込み開口２３にも集塵された塵の一部が入り込んでいる状態で、既述の塵捨てが行われた場合、テッシュ６４の落下とともに、吸込み開口２３内の塵が自重で落下するので、こうした塵も同時に捨てることができる。これは、容器ハンドル３１を握って集塵装置２１を持った状態で、吸込み開口２３が塵捨て開口２７の上方に対向していることにより可能である。
【００６３】
以上の塵捨ての最後に、集塵容器本体２２にこれを手で叩く等して衝撃を与えることが好ましい。それにより、保形部材７１に塵が引っ掛かっていた場合、それを落下させて塵捨て場に捨てることが可能である。
【符号の説明】
【００６４】
１…電気掃除機、２…掃除機本体、２ａ…収容室、５…電動送風機、８…本体吸込み口、２１…集塵装置、２２…集塵容器本体、２３…吸込み開口、２５…枠受け部、２７…塵捨て開口、Ｈ…塵捨て開口の上端、Ｌ…塵捨て開口の下端、２９…フィルタ配設部、３１…容器ハンドル、３５…集塵容器蓋、５１…濾過フィルタ、６１…フィルタホルダ、６２…枠、６３…連動部材、６４…テッシュ（使い捨てフィルタ）、６４ａ…テッシュの周部、６６…ガイド部、７１…保形部材
【図１】
2012066029.tif 000003
【図２】
2012066029.tif 000004
【図３】
2012066029.tif 000005
【図４】
2012066029.tif 000006
【図５】
2012066029.tif 000007
【図６】
2012066029.tif 000008
【図７】
2012066029.tif 000009
【図８】
2012066029.tif 000010
【図９】
2012066029.tif 000011